(57)【要約】  塗膜の耐水性および塗膜の非粘着性に優れると共に貯蔵安定性にも優れる水性塗料と、耐水性および塗膜に優れた塗膜付き基材との提供を課題とする。  フルオロオレフィンに基づく単位およびアルキル基を有する単量体に基づく単位を含む含フッ素重合体の粒子とシリコーン変性された変性（メタ）アクリル重合体の粒子と水とを含む水性塗料であって前記水性塗料中のケイ素原子に対するフッ素原子のモル比が１０〜７００である水性塗料、ならびに、基材と前記基材の表面上に配置された含フッ素重合体とシリコーン変性された変性（メタ）アクリル重合体とを含む塗膜を有する塗膜付き基材であって前記塗膜中の前記塗膜の全質量に対するケイ素原子の含有量が０．０１〜１０質量％であり前記塗膜表面におけるケイ素原子に対するフッ素原子のモル比が１０〜３００である塗膜付き基材。【特許請求の範囲】
【請求項１】
フルオロオレフィンに基づく単位およびアルキル基を有する単量体に基づく単位を含む含フッ素重合体の粒子と、シリコーン変性された変性（メタ）アクリル重合体の粒子と、水とを含む水性塗料であって、前記水性塗料中のケイ素原子に対するフッ素原子のモル比が１０〜７００であることを特徴とする、水性塗料。
【請求項２】
前記含フッ素重合体が、前記含フッ素重合体が含む全単位に対して、前記アルキル基を有する単量体に基づく単位を２０〜８０モル％含む、請求項１に記載の水性塗料。
【請求項３】
前記アルキル基が、炭素数１〜１２のアルキル基である、請求項１または２に記載の水性塗料。
【請求項４】
前記含フッ素重合体が、さらに、ヒドロキシ基またはカルボキシ基を有する単位を含む、請求項１〜３のいずれか１項に記載の水性塗料。
【請求項５】
前記変性（メタ）アクリル重合体が、アルコキシシランで変性された変性（メタ）アクリル重合体である、請求項１〜４のいずれか１項に記載の水性塗料。
【請求項６】
前記変性（メタ）アクリル重合体が、ジアルキルジアルコキシシランで変性された変性（メタ）アクリル重合体である、請求項１〜４のいずれか１項に記載の水性塗料。
【請求項７】
前記変性（メタ）アクリル重合体が、アルコキシシリル基を有する単量体に基づく単位を含む（メタ）アクリル重合体がシリコーン変性された変性（メタ）アクリル重合体である、請求項１〜６のいずれか１項に記載の水性塗料。
【請求項８】
前記変性（メタ）アクリル重合体が、ジアルキルジアルコキシシランとモノアルキルトリアルコキシシランとでシリコーン変性された変性（メタ）アクリル重合体である、請求項１〜７のいずれか１項に記載の水性塗料。
【請求項９】
前記変性（メタ）アクリル重合体が、シロキサン結合およびジアルキルシリレン基を側鎖に有する変性（メタ）アクリル重合体である、請求項１〜８のいずれか１項に記載の水性塗料。
【請求項１０】
前記変性（メタ）アクリル重合体の粒子の平均粒子径が、前記含フッ素重合体の粒子の平均粒子径より小さい、請求項１〜９のいずれか１項に記載の水性塗料。
【請求項１１】
窯業建材の塗装に用いられる、請求項１〜１０のいずれか１項に記載の水性塗料。
【請求項１２】
基材の表面に、請求項１〜１０のいずれか１項に記載の水性塗料を塗布して塗布層を形成し、前記塗布層を乾燥させて塗膜を形成する、塗膜付き基材の製造方法。
【請求項１３】
基材と、前記基材の表面上に配置された、含フッ素重合体とシリコーン変性された変性（メタ）アクリル重合体とを含む塗膜を有する塗膜付き基材であって、前記塗膜中の、前記塗膜の全質量に対するケイ素原子の含有量が０．０１〜１０質量％であり、前記塗膜におけるケイ素原子に対するフッ素原子のモル比が１０〜７００である、塗膜付き基材。
【請求項１４】
前記塗膜の、ＪＩＳ  Ｋ  ５６００−５−４（２００９）に従って計測される鉛筆硬度が４Ｂ〜Ｈである、請求項１３に記載の塗膜付き基材。
【請求項１５】
前記塗膜が、請求項１〜１０のいずれか１項に記載の水性塗料から形成される塗膜である、請求項１３または１４に記載の塗膜付き基材。
【発明の詳細な説明】
【技術分野】
【０００１】
本発明は、耐水性と非粘着性とに優れる塗膜を形成できると共に、貯蔵安定性にも優れる水性塗料および塗膜付き基材に関する。
【背景技術】
【０００２】
塗料分野において、環境保護の観点から、耐候性に優れる含フッ素重合体を含み、水を主媒体として含む水性塗料が急速に普及している。
含フッ素重合体を含む水性塗料を普及させるべく、その塗料物性をさらに向上させる提案もされている。特許文献１には、基材付着性を向上させるべく、含フッ素重合体と、脂環式基および光安定性基を有する（メタ）アクリル重合体とを含む水性塗料が提案されている。
【先行技術文献】
【特許文献】
【０００３】
【特許文献１】日本特開平９−０５９５６０号公報
【発明の概要】
【発明が解決しようとする課題】
【０００４】
近年では、含フッ素重合体を含む水性塗料から形成されてなる塗膜の耐水性の一層の向上が要求されている。さらに、上記塗膜の非粘着性の一層の向上、つまり上記塗膜付き基材の加工性の一層の向上が要求されている。本発明者らは、含フッ素重合体を含む従来の水性塗料について、その塗膜の耐水性と非粘着性とを検討した結果、昨今要求されるレベルを満たさないことを確認した。また、水性塗料には、これらの物性に優れるだけでなく、貯蔵安定性にも優れることが求められる。【０００５】
本発明は、上記課題に鑑みてなされたのであって、耐水性と非粘着性とに優れる塗膜を形成できると共に、貯蔵安定性にも優れる、含フッ素重合体を含む水性塗料の提供を目的とする。また、本発明は、耐水性と非粘着性とに優れる塗膜付き基材の提供を目的とする。
【課題を解決するための手段】
【０００６】
本発明者らは、上記課題を解決するために鋭意検討した結果、特定の含フッ素重合体の粒子と、特定の変性（メタ）アクリル重合体とを含む水性塗料により、所望の効果が得られることを見出して、本発明を完成した。
かくして、本発明は、以下の態様を有するものである。【０００７】
［１］フルオロオレフィンに基づく単位およびアルキル基を有する単量体に基づく単位を含む含フッ素重合体の粒子と、シリコーン変性された変性（メタ）アクリル重合体の粒子と、水とを含む水性塗料であって、前記水性塗料中のケイ素原子に対するフッ素原子のモル比が１０〜７００であることを特徴とする、水性塗料。
［２］前記含フッ素重合体が、前記含フッ素重合体が含む全単位に対して、前記アルキル基を有する単量体に基づく単位を、２０〜８０モル％含む、［１］の水性塗料。
［３］前記アルキル基が、炭素数１〜１２のアルキル基である、［１］または［２］の水性塗料。
［４］前記含フッ素重合体が、さらに、ヒドロキシ基またはカルボキシ基を有する単量体に基づく単位を含む、［１］〜［３］のいずれかの水性塗料。
［５］前記変性（メタ）アクリル重合体が、アルコキシシランで変性された変性（メタ）アクリル重合体である、［１］〜［４］のいずれか水性塗料。
［６］前記変性（メタ）アクリル重合体が、ジアルキルジアルコキシシランで変性された変性（メタ）アクリル重合体である、［１］〜［４］のいずれかの水性塗料。
［７］前記変性（メタ）アクリル重合体が、アルコキシシリル基を有する単量体に基づく単位を含む（メタ）アクリル重合体がシリコーン変性された変性（メタ）アクリル重合体である、［１］〜［６］のいずれかの水性塗料。
［８］前記変性（メタ）アクリル重合体が、ジアルキルジアルコキシシランとモノアルキルトリアルコキシシランとでシリコーン変性された変性（メタ）アクリル重合体である、［１］〜［７］のいずれかの水性塗料。
［９］前記変性（メタ）アクリル重合体が、シロキサン結合およびジアルキルシリレン基を側鎖に有する変性（メタ）アクリル重合体である、［１］〜［８］のいずれかの水性塗料。
［１０］前記変性（メタ）アクリル重合体の粒子の平均粒子径が、前記含フッ素重合体の粒子の平均粒子径より小さい、［１］〜［９］のいずれかの水性塗料。
［１１］窯業建材の塗装に用いられる、［１］〜［１０］のいずれかの水性塗料。
［１２］基材の表面に、［１］〜［１０］のいずれかの水性塗料を塗布して塗布層を形成し、前記塗布層を乾燥させて塗膜を形成する、塗膜付き基材の製造方法。
［１３］基材と、前記基材の表面上に配置された、含フッ素重合体とシリコーン変性された変性（メタ）アクリル重合体とを含む塗膜を有する塗膜付き基材であって、前記塗膜中の、前記塗膜の全質量に対するケイ素原子の含有量が０．０１〜１０質量％であり、前記塗膜表面におけるケイ素原子に対するフッ素原子のモル比が１０〜７００である、塗膜付き基材。
［１４］前記塗膜の、ＪＩＳ  Ｋ  ５６００−５−４（２００９）に従って計測される鉛筆硬度が４Ｂ〜Ｈである、［１３］に記載の塗膜付き基材。
［１５］前記塗膜が、［１］〜［１０］のいずれかの水性塗料から形成されてなる塗膜である、［１３］または［１４］に記載の塗膜付き基材。
【発明の効果】
【０００８】
本発明によれば、耐水性と非粘着性とに優れる塗膜を形成できると共に、貯蔵安定性にも優れる水性塗料を提供できる。また、本発明によれば、耐水性と非粘着性とに優れる塗膜付き基材の提供をできる。
【発明を実施するための形態】
【０００９】
以下の用語の定義は、明細書および特許請求の範囲にわたって適用される。
「単位」とは、単量体の重合により直接形成された、上記単量体１分子に基づく原子団と、上記原子団の一部を化学変換して得られる原子団との総称である。重合体が含む全単位に対する、それぞれの単位の含有量（モル％）は、含フッ素重合体の製造に際して使用する成分の仕込み量から決定できる。
「（メタ）アクリル酸」とは「アクリル酸」と「メタクリル酸」の総称であり、「（メタ）アクリレート」とは「アクリレート」と「メタクリレート」の総称である。
「（メタ）アクリル重合体」とは、（メタ）アクリル酸または（メタ）アクリレートのいずれか一方、または両方に基づく単位を含む重合体であり、フルオロオレフィンに基づく単位を含まない、本発明における含フッ素重合体とは異なる重合体である。
【００１０】
「酸価」および「水酸基価」は、それぞれ、ＪＩＳ  Ｋ  ００７０−３（１９９２）の方法に準じて測定される値である。
「平均粒子径」は、動的光散乱法により求められるＤ５０の値である。なお、Ｄ５０は、動的光散乱法により求めた粒子の粒度分布（本発明では、ＥＬＳ−８０００（大塚電子社製）を使用）において、小さな粒子側から起算した体積累計５０体積％の粒子直径を表す。
塗料の「固形分」の質量とは、塗料が溶媒を含む場合に、塗料から溶媒を除去した質量である。なお、溶媒以外の塗料の固形分を構成する成分に関して、その性状が液体状であっても、固形分とみなす。塗料の固形分の質量は、塗料を１３０℃で２０分間加熱した後に残存する質量として求められる。
塗膜の厚みは、渦電流式膜厚計（商品名「ＥＤＹ−５０００」、サンコウ電子社製）を用いて測定される値である。
【００１１】
本発明の水性塗料は、フルオロオレフィンに基づく単位（以下、単位Ｆともいう。）およびアルキル基を有する単量体に基づく単位（以下、単位Ｒともいう。）を含む含フッ素重合体の粒子と、シリコーン変性された変性（メタ）アクリル重合体の粒子と、水とを含む。本発明の水性塗料において、含フッ素重合体の粒子および変性（メタ）アクリル重合体の粒子は、水中に溶解または分散している。
【００１２】
また、本発明の水性塗料中のケイ素原子に対するフッ素原子の比（以下、Ｆ／Ｓｉ比ともいう。）は、１０〜７００であり、より好ましくは１０〜４００であり、さらに好ましくは１０〜３００であり、特に好ましくは１００〜３００である。なお、水性塗料中のＦ／Ｓｉ比は、水性塗料中に含まれるケイ素原子を有する化合物のケイ素原子の総モル量に対する、水性塗料中に含まれる含フッ素重合体が有するフッ素原子の総モル量の比である。
【００１３】
本発明の水性塗料から形成される塗膜（以下、本塗膜ともいう。）は、耐水性と非粘着性とに優れる。また、本発明の水性塗料は、貯蔵安定性にも優れている。
単位Ｒを含む含フッ素重合体の粒子から形成される塗膜は、耐水性に優れる一方で非粘着性に劣るため、上記塗膜を有する基材は加工性が低い。特に、上記含フッ素重合体が含む単位Ｒの含有量が高い場合に、この傾向は顕著である。
そこで、本発明者らは、上記含フッ素重合体の粒子を含む水性塗料にシリコーン変性された変性（メタ）アクリル重合体の粒子を含め、さらに水性塗料中のケイ素原子に対するフッ素原子の比を特定の範囲に調整することにより、耐水性と非粘着性に優れる塗膜を形成でき、貯蔵安定性も優れる水性塗料を得られることを知見した。 
【００１４】
上記した優れる水性塗料を得られる理由は必ずしも明確ではないが、以下のように考えられる。単位Ｒを含む含フッ素重合体と（メタ）アクリル重合体とは、親和性が低く、両者がそれぞれ粒子状に分散している水性分散液とも言え、両者を含む水性塗料の均一分散性は低い。そのため、上記水性塗料から形成される塗膜においては、含フッ素重合体と（メタ）アクリル重合体が、相溶することなく極度に偏在してしまう。その結果として、層分離した塗膜や、塗膜中にブツが存在する塗膜等が形成され、その塗膜の物性も充分でなくなる。
【００１５】
一方、本発明の水性塗料は、（メタ）アクリル重合体として変性（メタ）アクリル重合体を含み、かつ、水性塗料中のＦ／Ｓｉ比が特定の範囲に調製されるため、単位Ｒを含む含フッ素重合体と変性（メタ）アクリル重合体の親和性がバランスし、その均一分散性が向上すると考えられる。そのため、本発明の水性塗料から塗膜を形成した際には、含フッ素重合体と変性（メタ）アクリル重合体が適度に偏在し、具体的には、非粘着性に優れた変性（メタ）アクリル重合体が含フッ素重合体の粒子表面に均一に付着していると考えられる。その結果、本塗膜は、耐水性と非粘着性とに優れる。また、均一分散性に優れるため、本発明の水性塗料は、貯蔵安定性に優れる。なお、これらの効果は、本発明の好適な態様において、より顕著に発現する。
【００１６】
本発明における含フッ素重合体が含む単位Ｆは、フルオロオレフィンに基づく単位である。フルオロオレフィンは、水素原子の１個以上がフッ素原子で置換されたオレフィンである。フルオロオレフィンは、フッ素原子で置換されていない水素原子の１個以上が塩素原子で置換されていてもよい。
フルオロオレフィンの具体例としては、ＣＦ２＝ＣＦ２、ＣＦ２＝ＣＦＣＦ３、ＣＦ２＝ＣＦＣｌ、ＣＨ２＝ＣＦ２、ＣＦ３−ＣＨ＝ＣＨＦ、ＣＦ３−ＣＦ＝ＣＨ２が挙げられる。フルオロオレフィンは、本塗料におけるＦ／Ｓｉ比を好適にする点から、ＣＦ２＝ＣＦＣｌ、ＣＨ２＝ＣＦ２、ＣＦ３−ＣＨ＝ＣＨＦおよびＣＦ３−ＣＦ＝ＣＨ２からなる群から選択される少なくとも一種が好ましく、ＣＦ２＝ＣＦＣｌおよびＣＨ２＝ＣＦ２の一方または両方が好ましく、ＣＦ２＝ＣＦＣｌが特に好ましい。フルオロオレフィンは、２種以上を併用してもよい。
単位Ｆの含有量は、本塗膜の耐候性の観点から、含フッ素重合体が含む全単位に対して、２０〜７５モル％が好ましく、４０〜６０モル％がより好ましい。
【００１７】
本発明における含フッ素重合体が含む単位Ｒは、アルキル基を有する単量体に基づく単位である。単位Ｒは、フッ素原子を含まない。
アルキル基を有する単量体としては、フルオロオレフィンとの共重合性の観点から、アルキルビニルエーテル、アルキルアリルエーテル、アルキルビニルエステルおよびアルキルアリルエステルからなる群から選択される少なくとも１種が好ましい。本塗膜の耐候性の観点から、アルキルビニルエーテルおよびアルキルビニルエステルの一方または両方が特に好ましい。
アルキル基を有する単量体のアルキル基の炭素数は、変性（メタ）アクリル重合体との親和性の観点から、１〜１２がより好ましく、１〜８が特に好ましい。
【００１８】
アルキル基を有する単量体のアルキル基は、直鎖状でも、分岐鎖状であってもよい。なお、ここにおいて、アルキル基は、環構造を含まない基を意味する。
アルキル基を有する単量体のアルキル基は、メチル基、エチル基、プロピル基、ブチル基、２−エチルヘキシル基、ネオノニル基またはネオデカニル基が好ましく、メチル基、エチル基または２−エチルヘキシル基が特に好ましい。
【００１９】
アルキル基を有する単量体の具体例としては、メチルビニルエーテル、エチルビニルエーテル、プロピルビニルエーテル、ｔｅｒｔ−ブチルビニルエーテル、２−エチルヘキシルビニルエーテル、酢酸ビニル、ピバル酸ビニルエステル、ネオノナン酸ビニルエステル（ＨＥＸＩＯＮ社商品名「ベオバ９」）、ネオデカン酸ビニルエステル（ＨＥＸＩＯＮ社商品名「ベオバ１０」）が挙げられる。アルキル基を有する単量体は、２種以上を併用してもよい。
【００２０】
単位Ｒの含有量は、変性（メタ）アクリル重合体との均一分散性の点から、含フッ素重合体が含む全単位に対して、２０〜８０モル％が好ましく、２５〜８０モル％がより好ましく、２５〜５０モル％がより好ましくい。
【００２１】
含フッ素重合体は、架橋点を有することにより本塗膜の耐水性が向上する観点から、ヒドロキシ基またはカルボキシ基を有する単位（以下、単位Ｃともいう。）を含むのが好ましく、本発明の水性塗料の貯蔵安定性の点からは、ヒドロキシ基を有する単位を含むのが好ましい。単位Ｃは、フッ素原子を含まない。
つまり、含フッ素重合体がヒドロキシ基を有する単位を含む場合、硬化剤としてイソシアネート系を水性塗料に含ませることにより、本塗膜の耐水性がさらに向上する。
また、含フッ素重合体が架橋性基としてカルボキシ基を有する単量体に基づく単位を含む場合、硬化剤としてカルボジイミド系、アミン系、オキサゾリン系またはエポキシ系を水性塗料に含ませれば、本塗膜の耐水性がさらに向上する。
【００２２】
単位Ｃは、ヒドロキシ基またはカルボキシ基を有する単量体に基づく単位であってもよく、単位Ｃを含む含フッ素重合体の反応性基を、ヒドロキシ基またはカルボキシ基に変換させて得られる単位であってもよい。このような単位としては、ヒドロキシ基を有する単位を含む含フッ素重合体に、ポリカルボン酸やその酸無水物等を反応させて、ヒドロキシ基の一部または全部をカルボキシ基に変換させて得られる単位が挙げられる。
【００２３】
ヒドロキシ基を有する単量体の具体例としては、アリルアルコールや、ヒドロキシ基を有する、ビニルエーテル、ビニルエステル、アリルエーテル、アリルエステル、（メタ）アクリル酸エステルが挙げられる。ヒドロキシ基を有する単量体としては、アリルアルコールまたは式Ｘ１−Ｚ１で表される単量体が好ましい。
Ｘ１は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−であり、ＣＨ２＝ＣＨＯ−またはＣＨ２＝ＣＨＣＨ２Ｏ−であることが好ましい。
Ｚ１は、ヒドロキシ基を有する炭素数２〜４２の１価の有機基である。上記有機基は、直鎖状でもよく、分岐鎖状でもよい。また、上記有機基は、環構造からなっていてもよく、環構造を含んでいてもよい。
上記有機基としては、水酸基を有する炭素数２〜６のアルキル基、水酸基を有する炭素数６〜８のシクロアルキレン基を含むアルキル基、または水酸基を有するポリオキシアルキレン基が好ましい。
【００２４】
ヒドロキシ基を有する単量体の具体例としては、ＣＨ２＝ＣＨＣＨ２ＯＨ、ＣＨ２＝ＣＨＯＣＨ２−ｃｙｃｌｏＣ６Ｈ１０−ＣＨ２ＯＨ、ＣＨ２＝ＣＨＣＨ２ＯＣＨ２−ｃｙｃｌｏＣ６Ｈ１０−ＣＨ２ＯＨ、ＣＨ２＝ＣＨＯＣＨ２ＣＨ２ＯＨ、ＣＨ２＝ＣＨＣＨ２ＯＣＨ２ＣＨ２ＯＨ、ＣＨ２＝ＣＨＯＣＨ２ＣＨ２ＣＨ２ＣＨ２ＯＨ、ＣＨ２＝ＣＨＣＨ２ＯＣＨ２ＣＨ２ＣＨ２ＣＨ２ＯＨ、ＣＨ２＝ＣＨＯＣＨ２−ｃｙｃｌｏＣ６Ｈ１０−ＣＨ２Ｏ（ＣＨ２ＣＨ２Ｏ）１０Ｈ、ＣＨ２＝ＣＨＯＣＨ２−ｃｙｃｌｏＣ６Ｈ１０−ＣＨ２Ｏ（ＣＨ２ＣＨ２Ｏ）１５Ｈが挙げられる。なお、「−ｃｙｃｌｏＣ６Ｈ１０−」はシクロへキシレン基を表し、「−ｃｙｃｌｏＣ６Ｈ１０−」の結合部位は、通常１，４−である。ヒドロキシ基を有する単量体は、２種以上を併用してもよい。
【００２５】
ヒドロキシ基を有する単量体の２種以上を併用する場合、少なくとも１種は、含フッ素重合体と変性（メタ）アクリル重合体との親和性の観点から、ヒドロキシ基を有するポリオキシアルキレン基を有する単量体であることが好ましい。つまり、この場合において、単位Ｃは、ヒドロキシ基を有するポリオキシアルキレン基を有する単量体に基づく単位を含むのが好ましい。単位Ｃに対する、ヒドロキシ基を有するポリオキシアルキレン基を有する単量体に基づく単位の比（ヒドロキシ基を有するポリオキシアルキレン基を有する単量体に基づく単位／単位Ｃ）は、モル比で０．０１〜１．０が好ましく、０．０３〜０．５０がより好ましい。
【００２６】
カルボキシ基を有する単量体としては、不飽和カルボン酸、（メタ）アクリル酸等が挙げられる。カルボキシ基を有する単量体は、式Ｘ２−Ｚ２で表される単量体が好ましい。
Ｘ２は、ＣＨ２＝ＣＨ−、ＣＨ（ＣＨ３）＝ＣＨ−またはＣＨ２＝Ｃ（ＣＨ３）−であり、ＣＨ２＝ＣＨ−またはＣＨ（ＣＨ３）＝ＣＨ−であることが好ましい。
Ｚ２は、カルボキシ基またはカルボキシ基を有する炭素数１〜１２の１価の飽和炭化水素基であり、カルボキシ基または炭素数１〜１０のカルボキシアルキル基であることが好ましい。
カルボキシ基を有する単量体の具体例としては、ＣＨ２＝ＣＨＣＯＯＨ、ＣＨ（ＣＨ３）＝ＣＨＣＯＯＨ、ＣＨ２＝Ｃ（ＣＨ３）ＣＯＯＨ、式ＣＨ２＝ＣＨ（ＣＨ２）ｎ２１ＣＯＯＨで表される化合物（ｎ２１は１〜１０の整数である。中でも、ＣＨ２＝ＣＨＣＨ２ＣＯＯＨ、ＣＨ２＝ＣＨ（ＣＨ２）８ＣＯＯＨが好ましい。）が挙げられる。カルボキシ基を有する単量体は、２種以上を併用してもよい。
【００２７】
ヒドロキシ基またはカルボキシ基を有する単量体は、ヒドロキシ基を有する単量体およびカルボキシ基を有する単量体の一方のみを用いてもよく、両方を用いてもよい。つまり、単位Ｃは、ヒドロキシ基およびカルボキシ基の一方または両方を有すればよい。
【００２８】
含フッ素重合体が単位Ｃを含む場合、その含有量は、含フッ素重合体が含む全単位に対して、１〜２０モル％が好ましく、２〜１０モル％が特に好ましい。
含フッ素重合体が単位Ｃを含む場合、含フッ素重合体の水酸基価または酸価は、それぞれ、０．１〜１５０ｍｇＫＯＨ／ｇが好ましく、１〜１００ｍｇＫＯＨ／ｇがより好ましく、３〜５０ｍｇＫＯＨ／ｇが特に好ましい。含フッ素重合体は、水酸基価および酸価の一方のみを有していてもよく、両方を有していてもよい。本発明の水性塗料の貯蔵安定性の点からは、含フッ素重合体は水酸基価を有することが好ましい。
【００２９】
含フッ素重合体は、フルオロオレフィンおよびアルキル基を有する単量体以外の単量体（以下、他の単量体ともいう。）に基づく単位を含んでいてもよい。他の単量体の具体例としては、（メタ）アクリル酸、（メタ）アクリレート、環構造を有する、ビニルエーテル、ビニルエステル、アリルエーテル、アリルエステルが挙げられる。他の単量体の具体例としては、シクロアルキルビニルエーテル（シクロペンチルビニルエーテル、シクロヘキシルビニルエーテル等。）、安息香酸ビニルエステルが挙げられる。
また、含フッ素重合体は、ヒドロキシ基およびカルボキシ基以外の、架橋性基を有する単量体に基づく単位を含んでいてもよい。具体例としては、加水分解性シリル基、アミノ基、イソシアネート基、エポキシ基またはオキセタニル基を有する単量体に基づく単位が挙げられる。
【００３０】
含フッ素重合体は、本塗膜の造膜性の観点から、単位Ｆの含有量、単位Ｒの含有量、ヒドロキシ基またはカルボキシ基を有する単量体に基づく単位の含有量が、含フッ素重合体が含む全単位に対して、この順に、２０〜７５モル％、２５〜８０モル％、０〜２０モル％であるのが好ましい。
含フッ素重合体のＴｇは、変性（メタ）アクリル重合体との均一分散性の点から、１０〜６０℃が好ましく、１０〜４０℃が特に好ましい。
【００３１】
含フッ素重合体の製造方法としては、水と重合開始剤の存在下、フルオロオレフィンと単量体Ｒを重合させる方法が挙げられる。含フッ素重合体の製造方法における重合法の具体例としては、乳化重合法が挙げられる。乳化重合法により、水中に含フッ素重合体が粒子状に分散している水性分散液が直接得られる。
【００３２】
上記重合開始剤の具体例としては、過硫酸カリウム、過硫酸ナトリウム、過硫酸アンモニウム、過酸化水素、ｔ−ブチルハイドロパーオキサイド、ｔ−ブチルパーオキシベンゾエート、２，２−アゾビスイソブチロニトリル、２，２−アゾビス（２−ジアミノプロパン）ハイドロクロライド、２，２−アゾビス（２，４−ジメチルバレロニトリル）が挙げられる。
【００３３】
含フッ素重合体を製造する際には、必要に応じて、界面活性剤、分子量調整剤（ドデシルメルカプタン、ブチルメルカプタン等）、光安定剤、ｐＨ調整剤等を添加してもよい。特に、含フッ素重合体の水中安定性の観点から、界面活性剤を含むのが好ましい。界面活性剤としては、本塗膜の耐水性の観点から、アニオン系界面活性剤が好ましい。
アニオン系界面活性剤の具体例としては、ラウリル硫酸ナトリウム等の脂肪酸塩、高級アルコール硫酸エステル塩、ドデシルベンゼンスルホン酸ナトリウム等のアルキルベンゼンスルホン酸塩、ポリオキシエチレンアルキルエーテル硫酸塩、ポリオキシエチレン多環フェニルエーテル硫酸塩、ポリオキシノニルフェニルエーテルスルホン酸塩、ポリオキシエチレン−ポリオキシプロピレングリコールエーテル硫酸塩が挙げられる。
【００３４】
本発明における変性（メタ）アクリル重合体は、シリカゾルまたはオルガノアルコキシシランでシリコーン変性された変性（メタ）アクリル重合体であり、換言すれば、シロキサン結合を重合体の主鎖末端または重合体の側鎖に有する（メタ）アクリル重合体とも言える。変性（メタ）アクリル重合体は、シロキサン結合を重合体の主鎖末端に有するのが好ましい。
変性（メタ）アクリル重合体は、ジアルキルジアルコキシシランでシリコーン変性された変性（メタ）アクリル重合体（シロキサン結合とジアルキルシリレン基とを重合体の主鎖末端または重合体の側鎖に有する変性（メタ）アクリル重合体とも言える。）が好ましい。なお、上記変性（メタ）アクリル重合体中のシロキサン結合とジアルキルシリレン基から形成される結合鎖は、重合体の２９Ｓｉ−ＮＭＲ分析における、２９Ｓｉ−ＮＭＲのケミカルシフト値が０〜−４０ｐｐｍであるピークとして検出できる。
【００３５】
変性（メタ）アクリル重合体は、アルキル基を有するシリコーン鎖（式−Ｓｉ（ＲＲ１）２−Ｏ−で表される鎖。ただし、２個のＲＲ１は、同一または異なるアルキル基を示す。以下同様である。）を有しており、単位Ｒのアルキル基を有する含フッ素重合体と親和性が特に高い。つまり、上記変性（メタ）アクリル重合体であれば、本発明の水性塗料中の含フッ素重合体の粒子と変性（メタ）アクリル重合体の粒子との均一分散性が一層向上する。そのため、本発明の水性塗料の貯蔵安定性と、本塗膜の耐水性および非粘着性とが、特に優れる。
【００３６】
変性（メタ）アクリル重合体を得るのに用いられる（メタ）アクリル重合体は、（メタ）アクリル酸または（メタ）アクリレートに基づく単位を含む、シリカゾルまたはオルガノアルコキシシランと反応し得る基を有する重合体である。
（メタ）アクリル重合体は、（メタ）アクリル酸または（メタ）アクリレートに基づく単位を含み、アルキルアルコキシシリル基（式−Ｓｉ（ＯＲＲ２）ｎ（ＲＲ３）３−ｎで表される基。ＲＲ２およびＲＲ３はそれぞれ独立にアルキル基であり、ｎは１〜３の整数である。以下同様である。）を有する（メタ）アクリル重合体が好ましく、（メタ）アクリル酸または（メタ）アクリレートに基づく単位とアルキルアルコキシシリル基を有する単量体に基づく単位とを含む（メタ）アクリル重合体がより好ましい。
【００３７】
なかでも、変性（メタ）アクリル重合体は、（メタ）アクリル酸、アルキル（メタ）アクリレート、シクロアルキル（メタ）アクリレート、ヒドロキシアルキル（メタ）アクリレートおよびポリオキシアルキレン（メタ）アクリレートからなる群から選ばれる少なくとも１種の単量体に基づく単位とアルコキシシリル基を有する単量体に基づく単位とを含む（メタ）アクリル重合体が特に好ましく、アルキル（メタ）アクリレートに基づく単位とシクロアルキル（メタ）アクリレートに基づく単位とアルコキシシリル基を有する（メタ）アクリレートに基づく単位とを含む（メタ）アクリル重合体が更に好ましい。
【００３８】
アルキル（メタ）アクリレートの具体例としては、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、２−エチルヘキシル（メタ）アクリレート、ドデシル（メタ）アクリレートが挙げられる。アルキル（メタ）アクリレートは、２種以上を併用してもよい。（メタ）アクリル重合体は、アルキル（メタ）アクリレートに基づく単位を、（メタ）アクリル重合体が含む全単位に対して、１０〜９５モル％含むのが好ましく、５０〜９０モル％含むのが特に好ましい。
【００３９】
シクロアルキル（メタ）アクリレートの具体例としては、シクロヘキシル（メタ）アクリレートが挙げられる。シクロアルキル（メタ）アクリレートは、２種以上を併用してもよい。（メタ）アクリル重合体は、シクロアルキル（メタ）アクリレートに基づく単位を、（メタ）アクリル重合体が含む全単位に対して、１〜８０モル％含むのが好ましく、１０〜４０モル％含むのが特に好ましい。
【００４０】
ヒドロキシアルキル（メタ）アクリレートの具体例としては、２−ヒドロキシエチル（メタ）アクリレート、４−ヒドロキシプロピル（メタ）アクリレート、２−ヒドロキシブチル（メタ）アクリレートが挙げられる。ヒドロキシアルキル（メタ）アクリレートは、２種以上を併用してもよい。（メタ）アクリル重合体は、ヒドロキシアルキル（メタ）アクリレートに基づく単位を、（メタ）アクリル重合体が含む全単位に対して、０〜５モル％含むのが好ましい。
【００４１】
ポリオキシアルキレン（メタ）アクリレートの具体例としては、ポリオキシエチレングリコール（メタ）アクリレート、ポリオキシプロピレングリコール（メタ）アクリレートが挙げられる。ポリオキシアルキレン（メタ）アクリレートは、２種以上を併用してもよい。（メタ）アクリル重合体は、ポリオキシアルキレン（メタ）アクリレートに基づく単位を、（メタ）アクリル重合体が含む全単位に対して、０〜５モル％含むのが好ましい。
【００４２】
アルコキシシリル基を有する単量体の具体例としては、ビニルシラン（ビニルトリメトキシシラン、ビニルトリエトキシシラン、ビニルトリス（β-メトキシエトキシ）シラン、ビニルメチルジメトキシシラン等。）、アルコキシシリル基を有する（メタ）アクリレート（γ-メタクリロキシプロピルトリメトキシシラン、γ-メタクリロキシプロピルメチルジメトキシシラン、γ-メタクリロキシプロピルトリメトキシシラン、γ-アクリロキシプロピルトリメトキシシラン、γ-アクリロキシプロピルメチルジメトキシシラン、γ-メタクリロキシプロピルトリエトキシシラン、γ-メタクリロキシプロピルメチルジエトキシシラン等。）が挙げられ、アルコキシシリル基を有する（メタ）アクリレートが好ましく、γ-メタクリロキシプロピルトリメトキシシランが特に好ましい。アルコキシシリル基を有する単量体は、２種以上を併用してもよい。（メタ）アクリル重合体は、アルコキシシリル基を有する単量体に基づく単位を、（メタ）アクリル重合体が含む全単位に対して、０．１〜１０モル％含むのが好ましく、０．５〜５モル％含むのが特に好ましい。
【００４３】
シリコーン変性に使用する、シリカゾルまたはオルガノアルコキシシランは、上述したとおり、ジアルキルジアルコキシシランが好ましい。
ジアルキルジアルコキシシランは、ジメチルジメトキシシラン、ジメチルジエトキシシラン、ジエチルジメトキシシランまたはジエチルジエトキシランが好ましく、（メタ）アクリル重合体中に、含フッ素重合体の単位Ｒのアルキル基と親和性が高いシリコーン鎖を形成できる観点から、ジメチルジメトキシシランまたはジメチルジエトキシシランが特に好ましい。ジアルキルジアルコキシシランは、２種以上を併用してもよい。
【００４４】
シリコーン変性におけるシリカゾルまたはオルガノアルコキシシランの使用量は、（メタ）アクリル重合体の全質量に対して、０．１〜３０質量％が好ましく、１〜２０質量％が特に好ましい。
【００４５】
シリコーン変性する際は、シリカゾルまたはオルガノアルコキシシランの２種以上を使用してもよい。
シリコーン変性する際は、ジアルキルジアルコキシシランと、ジアルキルジアルコキシシラン以外の他のアルキルアルコキシシランとを併用するのが好ましい。上記他のアルキルアルコキシシランとしては、テトラアルコキシシラン（テトラメトキシシラン、テトラエトキシシラン等。）、モノアルキルトリアルコキシシラン（メチルトリメトシキシシラン、メチルトリエトキシシラン、イソブチルトリメトキシシラン等。）、トリメチルモノアルコキシシラン（トリメチルメトキシシラン等。）が挙げられる。本塗膜の非粘着性を制御し、本発明の水性塗料の保存安定性をさらに向上させる観点から、シリコーン変性には、ジアルキルジアルコキシシランとモノアルキルトリアルコキシシランとを使用するのが好ましい。
【００４６】
他のアルキルアルコキシシランを使用する際の、その使用量は、（メタ）アクリル重合体の全質量に対して、０．１〜３０質量％が好ましく、１〜２０質量％が特に好ましい。
変性（メタ）アクリル重合体は、含フッ素重合体との親和性の点から、変性（メタ）アクリル重合体が含む全単位に対して、アルキル（メタ）アクリレートに基づく単位、シクロアルキル（メタ）アクリレートに基づく単位、およびジアルキルジアルコキシシランによって形成されるジアルキルシロキサン単位を、それぞれこの順に、１０〜９５モル％、１〜８０モル％、および０．１〜１０モル％含むことが好ましい。
なお、ジアルキルシロキサン単位とは、式−Ｓｉ（ＲＲ４）（ＲＲ５）−Ｏ−で表される単位（ＲＲ４およびＲＲ５はそれぞれ独立にアルキル基である。）である。
【００４７】
変性（メタ）アクリル重合体のＴｇは、含フッ素重合体との均一分散性および本塗膜の非粘着性の点から、３０〜１２０℃が好ましく、６０〜１００℃が好ましく、７０〜９０℃が特に好ましい。
【００４８】
本発明における変性（メタ）アクリル重合体の製造方法は、特に限定されず、通常の乳化重合法を採用できる。乳化重合法により、水中に変性（メタ）アクリル重合体が粒子状に分散している水性分散液が効率よく得られる。
具体的には、水、アニオン界面活性剤および重合開始剤を含む反応器中にて、（メタ）アクリル酸または（メタ）アクリレートとアルコキシシリル基を有する単量体とを重合させ、重合中または重合前後に、オルガノアルコキシシランを反応器に添加する方法が挙げられる。
【００４９】
この際、反応器中の溶液のｐＨは、通常は４以下に保持され、反応器中の温度は通常は６０〜９０℃に保持される。それぞれの成分の投入は、一回または複数回に分けてもよい。
得られた変性（メタ）アクリル重合体の粒子を含む水性分散液は、ｐＨ調整剤によりｐＨ調整してもよい。
【００５０】
上記アニオン界面活性剤および上記重合開始剤の具体例としては、含フッ素重合体の製造方法における例示化合物と同様の化合物を使用できる。
本発明の水性塗料は、上述した製造方法で得られる、含フッ素重合体の粒子および水を含む水性分散液と、変性（メタ）アクリル重合体の粒子および水を含む水性分散液とを混合して製造できる。
【００５１】
本発明の水性塗料において、含フッ素重合体の１００質量部に対して変性（メタ）アクリル重合体の５〜１００質量部を含むのが好ましい。
本発明の水性塗料の全質量に対する、含フッ素重合体と変性（メタ）アクリル重合体との含有量は、１０〜９０質量％が好ましく、４０〜８０質量％がより好ましい。
【００５２】
本発明の水性塗料において、含フッ素重合体と変性（メタ）アクリル重合体とは、それぞれ粒子状に分散しているのが好ましい。
変性（メタ）アクリル重合体の粒子の平均粒子径は、含フッ素重合体の粒子の平均粒子径より小さいのが好ましく、含フッ素重合体の粒子の平均粒子径との差が５０ｎｍ以上であるのがより好ましい。この場合、変性（メタ）アクリル重合体の粒子表面に配置されるシロキサン結合と、含フッ素重合体が含む単位Ｒのアルキル基との親和性が向上して、両者の粒子が密にパッキングしながら塗膜を形成するため、本塗膜の耐水性と非粘着性がさらに向上しやすい。また、粒子間の親和性が向上して水中分散安定性が向上し、本発明の水性塗料の貯蔵安定性がさらに向上しやすい。なお、これらの効果は、変性（メタ）アクリル重合体が、ジアルキルジアルコキシシランでシリコーン変性された（メタ）アクリル重合体である場合に、より顕著となる。
含フッ素重合体の粒子の平均粒子径は、５０〜２００ｎｍが好ましい。変性（メタ）クリル重合体の粒子の平均粒子径は、２５〜１５０ｎｍが好ましい。
【００５３】
本発明の水性塗料において、含フッ素重合体と変性（メタ）アクリル重合体の均一分散性および本塗膜の非粘着性の点から、変性（メタ）アクリル重合体のＴｇは、含フッ素重合体のＴｇよりも大きいことが好ましい。
【００５４】
本発明の水性塗料における水は、含フッ素重合体を水性塗料中に分散させる分散媒である。なお、分散媒は、水のみからなるか、水と水溶性有機溶媒とからなる混合溶媒からなる。後者の場合、水溶性有機溶媒の含有量は、水の全質量に対して、５質量％以下が好ましく、１質量％以下がより好ましく、０．５質量％以下が特に好ましい。水溶性有機溶媒の具体例としては、メタノール、エタノール、ブタノール、アセトン、メチルエチルケトンが挙げられる。
【００５５】
本発明の水性塗料は、含フッ素重合体、変性（メタ）アクリル重合体、および水以外の成分（以下、添加剤ともいう。）を含んでいてもよい。添加剤の具体例としては、含フッ素重合体および変性（メタ）アクリル重合体以外の樹脂（ポリエステル樹脂、エポキシ樹脂、ウレタン樹脂等。）、界面活性剤、硬化剤、顔料、分散剤、消泡剤、造膜助剤、レベリング剤、増粘剤、硬化助剤、光安定剤、紫外線吸収剤、表面調整剤、低汚染化剤が挙げられる。ただし、本発明の水性塗料のＦ／Ｓｉ比および後述する本塗膜表面のＦＸ／ＳｉＸ比を好適にする観点からは、含フッ素重合体および変性（メタ）アクリル重合体以外の化合物に由来するフッ素原子またはケイ素原子を含まないことが好ましい。
【００５６】
特に、本発明における含フッ素重合体が、ヒドロキシ基またはカルボキシ基を有する単量体に基づく単位を含む場合、本発明の水性塗料は、硬化剤（ヒドロキシ基またはカルボキシ基と架橋し得る基を１分子中に２以上有する化合物）を含むのが好ましい。
本発明の水性塗料は、上述したとおり、耐水性および非粘着性に優れた塗膜を形成できる水性塗料であり、降雨に耐えうる長期耐水性および加工性が要求される窯業建材の塗装に用いられる塗料として有用である。
【００５７】
本発明の水性塗料は、基材の表面に直接塗布してもよく、表面処理（下地処理等）された基材の表面に塗布してもよい。本塗膜の厚みは、本塗膜の耐久性の観点から、２５〜１００μｍが好ましく、３０〜８０μｍがより好ましい。
【００５８】
基材の材質の具体例としては、非金属材料（樹脂、ゴム、木材等の有機質材料、コンクリート、ガラス、セラミックス、石材等の無機質材料等）、金属材料（鉄、鉄合金、アルミニウム、アルミニウム合金等）が挙げられる。
本発明の水性塗料の、塗布方法の具体例としては、刷毛、ローラー、ディッピング、スプレー、ロールコーター、ダイコーター、アプリケーター、スピンコーター等の塗布装置を使用する方法が挙げられる。
【００５９】
本塗膜は、本発明の水性塗料を塗布して形成される塗膜を、乾燥させて形成するのが好ましい。塗布後の乾燥温度は、２５℃〜２００℃が好ましい。
つまり、本発明によれば、基材の表面に、本発明の水性塗料を塗布して塗布層を形成し、該塗布層を乾燥させて塗膜を形成する、塗膜付き基材の製造方法が提供される。得られた塗膜付き基材は、基材と、上記基材の表面上に配置された本発明の水性塗料から形成されてなる塗膜とを有する。上記基材は、耐水性および非粘着性に優れており、降雨に耐えうる長期耐水性および加工性が要求される窯業建材用の基材として、有用である。
【００６０】
本発明によれば、基材と、前記基材の表面上に配置された、含フッ素重合体とシリコーン変性された変性（メタ）アクリル重合体とを含む塗膜とを有する塗膜付き基材であって、上記塗膜中の、上記塗膜の全質量に対するケイ素原子の含有量が０．０１〜１０質量％であり、前記塗膜表面におけるケイ素原子に対するフッ素原子のモル比が１０〜７００である、塗膜付き基材が提供される。
なお、塗膜中のケイ素原子の含有量は、塗膜の全質量に対するケイ素原子の含有量（質量％）であり、塗膜を形成する塗料の固形分の質量に対する、塗料が含むケイ素原子の含有量（質量％）として求めてもよい。塗膜中のケイ素原子の含有量は、塗膜または塗料に含ませる変性（メタ）アクリル重合体の種類および質量等によって調節できる。
【００６１】
また、塗膜表面における、ケイ素原子に対するフッ素原子の比とは、走査電子顕微鏡による用いたエネルギー分散型Ｘ線分光法にて塗膜表面を分析して求められる、ケイ素原子に由来するＸ線強度に対するフッ素原子に由来するＸ線強度の比（ＦＸ／ＳｉＸ。以下、「ＦＸ／ＳｉＸ比」ともいう。）である。塗膜表面におけるＦＸ／ＳｉＸ比は、塗膜中に含ませる、本発明における含フッ素重合体および変性（メタ）アクリル重合体の種類および質量等によって調節できる。
【００６２】
本塗膜中のケイ素原子の含有量は、本塗膜の非粘着性が向上する観点から、０．０１〜１０質量％が好ましく、０．０５〜１質量％がより好ましく、０．１０〜０．３０が特に好ましい。
本塗膜の塗膜表面におけるＦＸ／ＳｉＸ比は、１０〜７００であり、より好ましくは１０〜４００であり、さらに好ましくは１０〜３００であり、特に好ましくは１００〜３００である。本塗膜の塗膜表面におけるＦＸ／ＳｉＸ比と、本発明の水性塗料のＦ／Ｓｉ比との差の絶対値が小さいほど、含フッ素重合体と変性（メタ）アクリル重合体とが均一に分散している。上記差の絶対値は、通常０以上であり、好ましくは５以下である。
本塗膜の、ＪＩＳ  Ｋ  ５６００−５−４（２００９）に従って計測される鉛筆硬度は、本塗膜付き基材の加工性の観点から、４Ｂ〜Ｈであり、３Ｂ〜Ｈが好ましく、２Ｂ〜Ｂがより好ましい。本塗膜は、ＦＸ／ＳｉＸ比が好適であるため、非粘着性に優れ、塗膜の鉛筆硬度も上記範囲内となる。
【００６３】
本発明の塗膜付き基材は、含フッ素重合体とシリコーン変性された変性（メタ）アクリル重合体とを含む塗膜を有しており、上記塗膜に含まれるケイ素原子の量と、上記塗膜表面のフッ素原子とケイ素原子の量とが所定の範囲に調製されているため、ケイ素原子が適度に露出した構成を有し、耐水性および非粘着性に優れる。
本発明の塗膜付き基材は、本発明の水性塗料から形成されてなる塗膜であるのが好ましい。また、本発明の塗膜付き基材は、上述した塗膜付き基材の製造方法により製造するのが好ましい。
【実施例】
【００６４】
以下、例を挙げて本発明を詳細に説明する。ただし、本発明はこれらの実施例に限定されない。例１〜４、６および７は実施例であり、例５は比較例である。【００６５】
含フッ素重合体の製造に使用した単量体と、その略号は、以下の通りである。
〔フルオロオレフィン〕
ＣＴＦＥ：クロロトリフルオロエチレン
〔単量体１〕
ＥＶＥ：エチルビニルエーテル、  ２−ＥＨＶＥ：２−エチルヘキシルビニルエーテル
〔ヒドロキシ基を有する単量体〕
ＣＭ−１５ＥＯＶＥ：ＣＨ２＝ＣＨＯＣＨ２−ｃｙｃｌｏＣ６Ｈ１０−ＣＨ２Ｏ（ＣＨ２ＣＨ２Ｏ）１５Ｈ、平均分子量５７０）
〔他の単量体〕
ＣＨＶＥ：シクロヘキシルビニルエーテル
ＣＨＭＶＥ：シクロヘキシルメチルビニルエーテル【００６６】
変性（メタ）アクリル重合体の製造に使用した単量体と、その略号は以下の通りである。
・（メタ）アクリル系単量体
ＭＭＡ：メチルメタクリレート
ＣＨＭＡ：シクロヘキシルメタクリレート、ＣＨＡ：シクロヘキシルアクリレート
ＥＨＡ：２−エチルヘキシルアクリレート、ＢＭＡ：ｎ−ブチルメタクリレート
ＢＡ：ｎ−ブチルアクリレート              ＡＡ：アクリル酸
ＭＡ：メタクリル酸
・シリコーン系単量体
γＳｉＭＡ：γ−メタクリロキシプロピルトリメトキシシラン
ＤＭＤＭＳ：ジメチルジメトキシシラン、  ＭＭＴＭＳ：メチルトリメトキシシラン【００６７】
［含フッ素重合体１の製造例］
真空脱気したオートクレーブ内に、ＣＴＦＥ（５３２ｇ）、ＥＶＥ（２４９ｇ）、２−ＥＨＶＥ（１４３ｇ）、ＣＨＭＶＥ（３１ｇ）、ＣＭ−１５ＥＯＶＥ（１９ｇ）、イオン交換水（９７５ｇ）、ポリオキシエチレンラウリルエーテル（ノニオン系界面活性剤）（５２ｇ）、およびラウリル硫酸ナトリウム（アニオン系界面活性剤）（１．１ｇ）を撹拌下で導入して昇温し、５０℃に保持した。続いて、オートクレーブ内に、過硫酸アンモニウム（０．１２ｇ）、を導入して、２４時間重合した後、オートクレーブ内の溶液をろ過し、平均粒子径が１５０ｎｍである含フッ素重合体１の粒子を濃度５０質量％含む水性分散液Ｆ１を得た。
含フッ素重合体１が含む全単位に対する、ＣＴＦＥに基づく単位、ＥＶＥに基づく単位、２−ＥＨＶＥに基づく単位、ＣＨＭＶＥに基づく単位、ＣＭ−ＥＯＶＥに基づく単位の含有量は、この順に５０モル％、３７．７５モル％、１０モル％、２モル％、０．２５モル％であった。含フッ素重合体１のＴｇは２５℃であった。【００６８】
［含フッ素重合体２の製造例］
含フッ素重合体１の製造例で用いた単量体の種類と量を、ＣＴＦＥ（４６７ｇ）、ＥＶＥ（５８ｇ）、２−ＥＨＶＥ（１２５ｇ）、ＣＨＶＥ（２８１ｇ）、ＣＨＭＶＥ（２７ｇ）、ＣＭ−１５ＥＯＶＥ（１７ｇ）に変更した以外は同様にして、平均粒子径が１６０ｎｍである含フッ素重合体２の粒子を濃度５０質量％含む水性分散液Ｆ２を得た。
含フッ素重合体２が含む全単位に対する、ＣＴＦＥに基づく単位、ＥＶＥに基づく単位、２−ＥＨＶＥに基づく単位、ＣＨＶＥに基づく単位、ＣＨＭＶＥに基づく単位、ＣＭ−ＥＯＶＥに基づく単位の含有量は、この順に５０モル％、１０モル％、１０モル％、２７．７５モル％、２モル％、０．２５モル％であった。含フッ素重合体２のＴｇは３０℃であった。【００６９】
［変性（メタ）アクリル重合体１の製造例］
反応器に、イオン交換水（４７８．３ｇ）およびニューコール７０７ＳＦ（アニオン系界面活性剤、日本乳化剤社商品名）（１０ｇ）を投入し、反応器の内温を８０℃に保持しながら、過硫酸アンモニウムの２質量％溶液（１５ｇ）を添加し、５分後に、（メタ）アクリル系単量体（ＭＭＡ（３８０ｇ）、ＣＨＭＡ（２００ｇ）、ＢＭＡ（１００ｇ）、ＢＡ（３００ｇ）およびＭＡ（２０ｇ））、水（５０４．３ｇ）、ニューコール７０７ＳＦ（６６．７ｇ）および過硫酸アンモニウムの２質量％溶液（５０ｇ）の混合液、ならびにシリコーン系単量体（γＳｉＭＡ（５ｇ）、ＭＭＴＭＳ（８０ｇ）およびＤＭＤＭＳ（６０ｇ））の混合液を、それぞれ別々に、反応器に２４０分かけて滴下した。【００７０】
上記滴下中、内温を８０℃に保持し、滴下終了後の内温を９０分保持した後に冷却して、ＭＭＴＭＳおよびＤＭＤＭＳでシリコーン変性された、シロキサン結合およびジメチルシリレン基を側鎖または主鎖末端に有する変性（メタ）アクリル重合体１の水性分散液を得た。得られた水性分散液にアンモニア水を加えてｐＨ調整し、さらに溶媒を留去して、水性分散液中のメタノール量を２．０質量％に調整した。さらにアンモニア水と水を加えた後、超音波破砕機にて５分間超音波処理し、平均粒子径が５０ｎｍである変性（メタ）アクリル重合体１の粒子を濃度５０質量％含む水性分散液Ｍ１（ｐＨ９．０）を得た。【００７１】
［変性（メタ）アクリル重合体２の製造例］
変性（メタ）アクリル重合体１の製造例において、超音波処理をしない以外は同様にして、平均粒子径１４０ｎｍである変性（メタ）アクリル重合体２の粒子を濃度５０質量％で含む水性分散液Ｍ２（ｐＨ９．０）を得た。【００７２】
［変性（メタ）アクリル重合体３の製造例］
変性（メタ）アクリル重合体１の製造例において、シリコーン系単量体における、ＭＭＴＭＳの量を１４８ｇに変更し、ＤＭＤＭＳを使用しない以外は同様にして、平均粒子径５０ｎｍである変性（メタ）アクリル重合体３の粒子を濃度５０質量％含む水性分散液Ｍ３（ｐＨ９．０）を得た。【００７３】
［変性（メタ）アクリル重合体４の製造例］
変性（メタ）アクリル重合体１の製造例において、（メタ）アクリル系単量体およびシリコーン系単量体の種類と量を変更する以外は同様にして、平均粒子径５０ｎｍである変性（メタ）アクリル重合体４の粒子を濃度５０質量％含む水性分散液Ｍ４（ｐＨ９．０、Ｔｇ７５℃）を得た。
変性（メタ）アクリル重合体４が含む全単位に対する、ＭＭＡに基づく単位、ＢＭＡに基づく単位、ＣＨＡに基づく単位、ＤＭＤＭＳから形成されてなるジメチルシロキサン単位の含有量は、この順に、６４モル％、１６モル％、１７モル％、３モル％であった。【００７４】
［変性（メタ）アクリル重合体５の製造例］
変性（メタ）アクリル重合体１の製造例において、（メタ）アクリル系単量体およびシリコーン系単量体の種類と量を変更する以外は同様にして、平均粒子径５０ｎｍである変性（メタ）アクリル重合体５の粒子を濃度５０質量％含む水性分散液Ｍ５（ｐＨ９．０、Ｔｇ３４℃）を得た。
変性（メタ）アクリル重合体５が含む全単位に対する、ＭＭＡに基づく単位、ＢＭＡに基づく単位、ＣＨＭＡに基づく単位、ＤＭＤＭＳから形成されてなるジメチルシロキサン単位の含有量は、この順に、３６モル％、３８モル％、２４モル％、２モル％であった。【００７５】
［水性塗料の製造例］
水性分散液Ｆ１（８０ｇ）、変性（メタ）アクリル重合体１の製造例で得た水性分散液Ｍ１（２０ｇ）、造膜助剤（日本乳化剤社商品名ＥＨＧ）（６ｇ）、増粘剤（ポリアクリル酸系増粘剤、ＴＴ−６１５（ローム＆ハース社商品名プライマル）（０．４ｇ）、消泡剤（ＢＡＳＦ社商品名デヒドラン１６２０）（０．６ｇ）およびイオン交換水（１３ｇ）を混合して、水性塗料１を得た。水性塗料１における、水性塗料中のＦ／Ｓｉ比は、含フッ素重合体１および変性（メタ）アクリル重合体１が含むそれぞれの単位の含有量から算出すると、５８であった。
上記水性塗料１の製造において、水性分散液の種類を表１に示す通りに変更する以外は同様に実施して、水性塗料２〜７をそれぞれ得た。【００７６】
【表１】
2019009415.tif 000002
【００７７】
［塗膜の製造例］
スレート板（縦１２０ｍｍ、横６０ｍｍ、板厚１５ｍｍ）の表面に、下塗り塗料（大日本塗料社商品名：Ｖセラン＃７００）を、エアスプレーにて乾燥膜厚が２０μｍになるように塗布し、１００℃で２１０秒間、乾燥させて下塗り膜を形成した。
次いで、下塗り膜の上に水性塗料１をエアスプレーにて乾燥膜厚が４０μｍになるように塗布し、１００℃で２１０秒間乾燥させて塗膜を形成して、水性塗料１から形成されてなる基材１を得て、試験板１とした。
上記水性塗料１の代わりに、水性塗料２〜７のそれぞれを使用した他は上記と同様に実施して、それぞれ、塗膜付き基材２〜７、および試験板２〜７を得た。【００７８】
（例１〜７）
上記で製造したそれぞれの水性塗料１〜７および試験板１〜７を、以下の評価法に供して、それらの塗膜性能を評価した。結果を表２にまとめて示す。【００７９】
（塗膜の耐水性評価）
試験板を６０℃の温水に１８時間浸漬後、５℃の冷水に１５時間浸漬し、その後５℃で乾燥した後の塗膜外観について、以下の基準に従い評価した。
ＳＳ：白化やふくれの発生が認められない塗膜面の面積が９５％以上であった。
Ｓ：白化やふくれの発生が認められない塗膜面の面積が９０％以上９５％未満であった。
Ａ：白化やふくれの発生が認められない塗膜面の面積が８０％以上９０％未満であった。
Ｂ：白化やふくれの発生が認められない塗膜面の面積が５０％以上８０％未満であった。
Ｃ：白化やふくれの発生が認められない塗膜面の面積が５０％未満であった。【００８０】
（塗膜の非粘着性評価）
２枚の試験板の塗装面を重ね合わせて、２ｋｇの重りをのせて１時間放置した後に、試験板を剥がして、一方の塗膜が剥がれ、他方の塗膜に付着しているかどうかを、以下の基準に従い評価した。
Ａ：塗膜面に剥がれが認められなかった。
Ｂ：塗膜面の２０％未満に剥がれが認められた。
Ｃ：塗膜面の２０％以上に剥がれが認められた。【００８１】
（外観評価）
それぞれの水性塗料をガラス板の表面に塗装して得られる塗膜付ガラス基板（膜厚２５μｍ）のヘイズを、ヘイズメーター（日本電色社商品名「ＮＤＨ−５０００Ｗ」）を用いて、ＪＩＳ  Ｋ７１３６に準拠して測定した。
Ａ：ヘイズ値が０．１〜１
Ｂ：ヘイズ値が１超３未満
Ｃ：ヘイズ値が３以上【００８２】
（水性塗料の貯蔵安定性評価）
それぞれの水性塗料を５０℃２週間保管し、沈降量を確認した。
Ａ：沈降量が０．５ｍｌ以下、Ｂ：沈降量が０．５ｍｌ超１ｍｌ未満、
Ｃ：沈降量が１ｍｌ以上【００８３】
（塗膜の硬度）
ＪＩＳ  Ｋ  ５６００−５−４（２００９）に従って、試験板の塗膜の鉛筆硬度を評価した。【００８４】
（塗膜表面のＦｘ／Ｓｉｘ比］
試験片の塗膜表面を、走査電子顕微鏡を用いたエネルギー分散型Ｘ線分光法にて、以下の測定条件に従って定量分析し、ケイ素原子に由来するＸ線強度に対する、フッ素原子に由来するＸ線強度の比を求め、塗膜表面におけるケイ素原子に対するフッ素原子のモル比（Ｆｘ／Ｓｉｘ比）に換算した。得られたＦｘ／Ｓｉｘ比を、水性塗料中のＦ／Ｓｉ比と比較したところ、例１〜４および６〜７における水性塗料中のＦ／Ｓｉとの差の絶対値は５以下であった。ここから、例１〜４および６〜７において、塗膜中で含フッ素重合体と変性（メタ）アクリル重合体とが均一に分散していると考えられる。
＜測定条件＞
試験機：日本電子社製「ＪＳＭ−５９００ＬＶ」、
加速電圧：２０ｋＶ、    倍率：１０００倍
測定前処理：ＪＥＯＬ社製オートファインコーター「ＪＦＣ−１３００」による、２０ｍＡ、４５秒の白金コート。【００８５】
【表２】
2019009415.tif 000003
【００８６】
なお、２０１７年７月７日に出願された日本特許出願２０１７−１３３７５７号の明細書、特許請求の範囲及び要約書の全内容をここに引用し、本発明の明細書の開示として、取り入れるものである。
【国際調査報告】
2019009415.tif 000004
2019009415.tif 000005
2019009415.tif 000006